(57)【要約】      （修正有） 【課題】建物の外壁を損傷することなく、窓の高さに合わせて容易に然も安全に設置できて窓の外側を効果的に緑化し得る、建物窓用の伸縮式蔓性植物支持装置を提供する。【解決手段】建物２の窓３を外側から覆うように設置される伸縮式蔓性植物支持装置１であって、支柱枠体６と、該支柱枠体６の表面を覆うように取り付けられるネット状物９とを具える。支柱枠体６は、所要間隔を置いて立設される伸縮支柱１０，１０相互を支柱連結杆１１で連結する。伸縮支柱１０は、大径支柱パイプ内に小径支柱パイプをスライド可能に挿入してなり、小径支柱パイプの所要のスライドによって設定された支柱長さを固定装置１７で固定できる。【選択図】図１
0003149857.tif 000002
【実用新案登録請求の範囲】
【請求項１】
建物の窓を外側から覆うように設置される建物窓用の伸縮式蔓性植物支持装置であって、支柱枠体と、該支柱枠体の表面を覆うように取り付けられるネット状物とを具えており、
該支柱枠体は、前記建物の外壁の横方向に所要間隔をおいて立設される伸縮支柱の複数本と、該伸縮支柱を連結する支柱連結杆とを具えており、該伸縮支柱は、大径支柱パイプ内に小径支柱パイプをスライド可能に挿入してなり、該小径支柱パイプの所要のスライドによって設定された支柱長さを固定装置で固定可能となされていることを特徴とする建物窓用の伸縮式蔓性植物支持装置。
【請求項２】
前記伸縮支柱はその上部に、建物の外壁に向けて突出する突出片を有しており、前記伸縮支柱が、該突出片の先端で該外壁に当接することを特徴とする請求項１記載の建物窓用の伸縮式蔓性植物支持装置。
【請求項３】
前記支柱連結杆は、水平方向で延長し且つその両端部分に、前記ネット状物の側縁部分を引っ掛ける引掛け部が設けられていることを特徴とする請求項１又は２記載の建物窓用の伸縮式蔓性植物支持装置。
【請求項４】
前記ネット状物は、１辺長さが５０〜２００ｍｍの正方形状のネット目を有することを特徴とする請求項１又は２記載の建物窓用の伸縮式蔓性植物支持装置。
【請求項５】
前記伸縮支柱の外面と前記支柱連結杆の外面は平滑面に形成されていることを特徴とする請求項１又は２記載の建物窓用の伸縮式蔓性植物支持装置。
【考案の詳細な説明】
【技術分野】
【０００１】
本考案は、建物窓用の伸縮式蔓性支持装置に関するものである。より詳しくは、建物の窓の高さに合わせて該窓を外側から覆うように設置されることによって、窓の外側の緑化を図ることのできる建物窓用の伸縮式蔓性植物支持装置に関するものである。
【背景技術】
【０００２】
蔓性植物を建物の窓の外側で繁茂させて、日差しを遮る遮光作用と植物の蒸散作用を発揮させ、これによって室温の上昇を抑制する等の目的で、建物の窓を外側から覆うように設置される建物窓用の蔓性植物支持装置が提案されている。その一例としては、例えば、特開２０００−１５７０６６号公報（特許文献１）や特開２００３−３８０４０号公報（特許文献２）、特開２００４−２１９４号公報（特許文献３）が開示するものが存する。
【０００３】
特許文献１記載の蔓性植物支持装置は、蔓性植物を支持するネット状物を張設するためのパイプフレームを用い、該パイプフレームの下端部分をプランターに固定することにより、該パイプフレームを垂直に立設したり所要の傾斜角度で立設する構成のものであった。そして該パイプフレームの上端高さは、蔓性植物が窓を効果的に覆い得るように個々の窓の高さに合わせて設定されるのであった。
【０００４】
又、特許文献２記載の植物支持装置は、蔓性植物を支持するネット状物の下部を栽培容器に固定する一方、該ネット状物の上部を建物の外壁に固定する構成のものであった。かかる蔓性植物支持装置によるときは、窓の高さに合わせてネット状物を上方に延長し該ネット状物の上部を外壁に固定すれば、窓の高さによらず該ネット状物で窓を覆い得る利点があった。しかしながらかかる装置によるときは、ネット状物の上部を外壁に固定する高所作業を要してネット状物の取り付けが難しい問題があった他、ネット状物の上部を固定するために外壁に孔を開けなければならない等、外壁を損傷する問題があった。
【０００５】
又、特許文献３記載の蔓性植物支持装置は、建物の外壁に、上下左右に支持ブラケットを突設し、左右の支持ブラケットの間に支持杆を上下一対、平行に横架し、上下の支持杆の間にワイヤーを一定間隔をあけて張りめぐらせることにより、蔓性植物を支持するためのネット状を形成する構成を採用していた。かかる装置によるときも特許文献２におけると同様に、ブラケットを外壁に固定するための高所作業を要してブラケットの取り付けが難しい問題があった他、ブラケットを固定するために、外壁に孔を開けなければならない等、外壁を損傷する問題があった。
【先行技術文献】
【特許文献】
【０００６】
【特許文献１】特開２０００−１５７０６６号公報
【特許文献２】特開２００３−３８０４０号公報
【特許文献３】特開２００４−２１９４号公報
【考案の概要】
【考案が解決しようとする課題】
【０００７】
本考案は、前記従来の問題点に鑑みて開発されたものであり、窓の外側を効果的に緑化できて、日差しを遮る遮光作用と植物の蒸散作用とによって室温の上昇を抑制し得るのはもとより、建物の外壁を損傷することなく、窓の高さに合わせて容易にしかも安全に設置し得る建物窓用の伸縮式蔓性植物支持装置の提供を課題とするものである。
【課題を解決するための手段】
【０００８】
前記課題を解決するため、本考案の以下の手段を採用する。
即ち、本考案に係る建物窓用の伸縮式蔓性植物支持装置は、建物の窓を外側から覆うように設置される建物窓用の伸縮式蔓性植物支持装置であって、支柱枠体と、該支柱枠体の表面を覆うように取り付けられるネット状物とを具えている。該支柱枠体は、前記建物の外壁の横方向に所要間隔をおいて立設される伸縮支柱の複数本と、該伸縮支柱を連結する支柱連結杆とを具えており、該伸縮支柱は、大径支柱パイプ内に小径支柱パイプをスライド可能に挿入してなり、該小径支柱パイプの所要のスライドによって設定された支柱長さを固定装置で固定可能となされていることを特徴とするものである。
【０００９】
該伸縮式蔓性植物支持装置において、前記伸縮支柱はその上部に、建物の外壁に向けて突出する突出片を有したものとなされ、該伸縮支柱が該突出片の先端で該外壁に当接する如く構成されることもある。
【００１０】
該伸縮式蔓性植物支持装置において、前記支柱連結杆は、水平方向で延長し且つその両端部分に、前記ネット状物の側縁部分を引っ掛ける引掛け部が設けられたものとして構成するのがよい。
【００１１】
又、該伸縮式蔓性植物支持装置において、前記ネット状物は、１辺長さが５０〜２００ｍｍの正方形状のネット目を有するものとして構成するのがよい。
【００１２】
又、該伸縮式蔓性植物支持装置において、前記伸縮支柱の外面と前記支柱連結杆の外面は平滑面に形成するのがよい。
【考案の効果】
【００１３】
本考案は、以下の如き優れた効果を奏する。
(1) 本考案に係る蔓性植物支持装置は、長さ可変の伸縮支柱を用いて構成した支柱枠体の表面を覆うようにネット状物を取り付けるものであるため、支柱枠体の上下長さを、伸縮支柱の長さ調節によって、建物の窓の高さに合わせて所要に設定するのが容易である。
【００１４】
かかることから本考案の蔓性植物支持装置によるときは、窓の外側を効果的に緑化でき、日差しを遮る遮光作用と植物の蒸散作用とによって室温の上昇を抑制し得るのはもとより、建物の窓を外側から覆うように行う蔓性植物支持装置の設置を、窓の高さに適合させて簡易に、しかも、建物の外壁を損傷することなく行ない得る利点がある。
従って従来のように、蔓性植物栽培装置を建物の窓の高さに合わせて個別に設計、製作する必要がなく、蔓性植物支持装置のコスト低減を期し得る。又、従来のように、ネット状物の上部を固定するためやブラケットを固定するために外壁を損傷するといった問題を生じさせることもない。
【００１５】
(2) 特に前記ネット状物を、１辺長さが５０〜２００ｍｍの正方形状のネット目するネット材を用いて構成するときは、該ネット状物を支柱枠体の表面を覆うように取り付ける際、前記支柱連結杆を、かかる大きいネット目にジグザグ状に通すのが容易である。
従って本考案によるときは、支柱枠体にネット状物を取り付けた際、該ネット状物の中間部分をも安定的に支柱枠体に取り付けることができ、蔓性植物を安定状態で支持できる蔓性植物栽培装置を構成できることとなる。
【００１６】
(3) 又、前記伸縮支柱の外面や前記支柱連結杆の外面を平滑面に形成するときは、該伸縮支柱や該支柱連結杆に対する蔓の巻き付きを極力防止できるため、蔓性植物の栽培時期が終わった後における装置の分解の際に、伸縮支柱や支柱連結杆に巻き付いた蔓を除去する手間を削減できることとなる。
【図面の簡単な説明】
【００１７】
【図１】本考案に係る建物窓用の伸縮式蔓性植物支持装置をその使用状態で示す斜視図である。
【図２】該蔓性植物支持装置を示す斜視図である。
【図３】伸縮支柱を分解して示す斜視図である。
【図４】伸縮支柱の伸縮範囲を示す正面図である。
【図５】固定装置の構成とその作用を説明する断面図である。
【図６】支柱連結杆を示す断面図と部分斜視図である。
【図７】支柱と支柱連結杆との交叉重なり部分をバンド部材で連結した状態を示す斜視図と正面図である。
【図８】伸縮支柱と支柱連結杆との交叉重なり部分をバンド部材で連結した状態を示す正面図である。
【図９】蔓性植物支持装置の使用状態を示す側面図である。
【図１０】３本の伸縮支柱を用いて構成された支柱枠体を具える蔓性植物支持装置を示す斜視図である。
【図１１】支柱連結杆の他の態様をその使用状態で示す正面図である。
【図１２】蔓性植物支持装置を軒部で設置した状態を示す側面図である。
【図１３】蔓性植物支持装置の他の実施例をその使用状態で示す側面図である。
【図１４】伸縮支柱や支柱連結杆を構成する管体の他の態様を示す断面図である。
【考案を実施するための形態】
【実施例１】
【００１８】
図１において、本考案に係る建物窓用の伸縮式蔓性植物支持装置（以下蔓性植物支持装置という）１は、建物２の窓３を外側から覆うように該建物２の外壁５に立て掛け状態で設置されるものであり、支柱枠体６と、該支柱枠体６の表面（本実施例においては、窓３と反対側の前面７ａ）７を覆うように取り付けられるネット状物９とを具えている。
【００１９】
該支柱枠体６は、図２に示すように、前記外壁５の横方向に所要間隔を置いて平行状態で立設される伸縮支柱１０の複数本（本実施例においては２本）と、該伸縮支柱１０，１０を連結する支柱連結杆１１とを具えている。
【００２０】
該伸縮支柱１０は、図３に示すように、断面円形で且つ外面１２が平滑面に形成された大径支柱パイプ１３内に、断面円形で且つ外面１５が平滑面に形成された小径支柱パイプ１６をスライド可能に挿入してなり、該小径支柱パイプ１６の所要のスライドによって設定された支柱長さを固定装置１７で固定可能となされている。本実施例においては、該伸縮支柱１０の長さを例えば１６０ｃｍ（図４（Ａ））〜３００ｃｍ（図４（Ｂ））の範囲で設定可能となされている。そして図２に示すように、該大径支柱パイプ１３の下端と該小径支柱パイプ１６の上端にはキャップ部材１９が取り付けられている。本実施例においては、該大径支柱パイプ１３の内径は約２０ｍｍ、その外径は約２２ｍｍに設定されると共に、小径支柱パイプ１６の外径は約１９ｍｍに設定されている。
【００２１】
該固定装置１７は、図３、図５に示すように、前記小径支柱パイプ１６がスライド可能に挿入される前記大径支柱パイプ１３の端部に固定される内筒部材２０と、前記小径支柱パイプ１６を挿通させる外筒部材２１とを具えている。該内筒部材２０の先側部分２２の外周面はテーパ面２３に形成されると共に、該先側部分２２には、その先端で開口するスリット２５の複数が周方向に所要間隔で設けられている。又、前記内筒部材２０の基端側部分の外周面には雄ネジ部２６が設けられている。そして、前記外筒部材２１の基端側部分の内周面には、該雄ネジ部２６に螺合し得る雌ネジ部２７が設けられると共に、その先側部分の内周面には、該外筒部材２１を締め付けた時に前記テーパ面２３を内方に向けて押圧するテーパ面２８が設けられている。
【００２２】
そして前記小径支柱パイプ１６のスライド長さを所要に設定した後に前記外筒部材２１を締め付けると、図５（Ｂ）に示すように、該外筒部材２１のテーパ面２８が前記内筒部材２０のテーパ面２３を内方に押圧し、該押圧により、前記スリット２５，２５間に形成された挾持片２９の夫々が内方に変形して小径支柱パイプ１６の外周面３０を挾持し、この挾持によって、前記設定された支柱長さを固定可能となされている。
【００２３】
又、前記支柱連結杆１１は本実施例においては図２、図６に示すように、約１９ｍｍの外径を有する、断面円形で外面３１が平滑面に形成されたパイプである。そして、その両端部３２，３２には、引掛け部３３，３３が上下に設けられてなる引掛け部材３５，３５が固着されており、その全長は、本実施例においては約８０ｃｍに設定されている。該引掛け部材３５は、本実施例においては図６（Ａ）に示すように、前記端部３２を密接に嵌入させて該端部３２に溶着等によって固着される有底筒部３６の開放端３７側の外面の上下に、該有底筒部３６の底部３９側に向けて屈曲するフック状の引掛け部３３，３３が突設されている。
【００２４】
かかる構成を有する支柱連結杆１１の３本を用いて、図２に示すように、左右対向する前記伸縮支柱１０，１０の下端部分４１，４１相互と、上端部分４２，４２相互と、上下方向の中央部分４３，４３相互を、夫々連結する。その際、図７〜８に示すように、該伸縮支柱１０，１０は、該支柱連結杆１１の前記引掛け部材３５，３５の内端４５，４５に寄せて配置され、且つ、該支柱連結杆１１の両端側の部分４４，４４の窓３側の面部４６，４６に、直交する交差状態で当接される。そして、該伸縮支柱１０と該支柱連結杆１１との交叉重なり部分４７は、例えば図７〜８に示すようなバンド部材４９を用いて連結され、このように各重なり部分４７をバンド部材４９で連結することにより、図２に示す支柱枠体６を構成できる。
【００２５】
該バンド部材４９は図７に示すように、金属製（例えばステンレス製）の線材（直径は、例えば約２．５ｍｍ）を屈曲して形成されており、前記伸縮支柱１０を挿通させ得る第１の円弧状部５０の両端に、前記支柱連結杆１１を跨ぐ第２の円弧状部５１，５１を連設すると共に、該第２の円弧状部５１，５１の端部に直線状部５２，５２を連設してなり、該両直線状部５２，５２の端部に、前記伸縮支柱１０に係合し得る円弧状係合片５３，５３が該伸縮支柱１０の軸線方向で位置をずらして逆方向に突設されている。
【００２６】
前記ネット状物９は、図２に示すように、キュウリやゴーヤ等の蔓性植物の蔓が巻き付き可能なもので、正方形状のネット目５５を有しており、該ネット目５５の大きさは、１辺が５０〜２００ｍｍに設定される。本実施例においては１００ｍｍに設定されている。該ネット状物９は、例えば、ジュートやポリプロピレン等のプラスチック繊維を素材にして形成できる。そして該ネット状物９の横幅は、前記支柱枠体６の前面（窓３と反対側の面）７ａを覆い得るように、例えば約８０ｃｍに設定されると共に、その上下長さは、前記伸縮支柱１０の最大長さを考慮して約３００ｃｍに設定されている。
【００２７】
然して、前記構成を有する蔓性植物支持装置１を構成するに際しては、図２に示すように、前記２本の伸縮支柱１０，１０の上下長さを、前記支柱枠体６が窓３を外側から覆い得るように、窓の高さに合わせて所要に設定する。そして、前記ネット状物９に、前記下段の支柱連結杆１１ａと上段の支柱連結杆１１ｂと中段の支柱連結杆１１ｃを、予め位置決めして取り付けておく。この取り付けは図２に示すように、各支柱連結杆１１ａ，１１ｂ，１１ｃがネット状物９のネット目５５をジグザグ状に挿通して該ネット状物９を縫うようにして行なう。なお、該ネット状物９の上下長さは、設定された前記伸縮支柱１０の上下長さに合わせて設定され、余分の長さ部分は切除される。
【００２８】
このようにして各支柱連結杆１１ａ，１１ｂ，１１ｃをネット状物９に取り付けた状態で、各支柱連結杆の夫々の両端側の部分４４，４４（図７）を、前記２本の伸縮支柱１０，１０に当接状態とする。その後、例えば図７〜８に示すように、該支柱連結杆１１と該伸縮支柱１０との交叉重なり部分４７を前記バンド部材４９で連結一体化する。そのために図７に示すように、前記第１の円弧状部５０に前記伸縮支柱１０を挿通状態とし、その後、前記第２の円弧状部５１，５１が前記支柱連結杆１１を跨ぐ状態とする。その後、前記直線状部５２，５２を弾性的に変形させることによって前記円弧状係合片５３，５３を前記伸縮支柱１０の後側部５６に弾性的な係合状態とする。然る後、図２に示すように、前記ネット状物９の左右の側縁部分５７，５７を、該ネット状物９を左右方向及び上下方向で張った状態として、前記３本の支柱連結杆１１ａ，１１ｂ，１１ｃの両端部分に設けられている上下の引掛け部３３，３３に引っ掛ける。これにより、図２に示す蔓性植物支持装置１が構成される。
【００２９】
本実施例に係る蔓性植物支持装置１にあっては、前記ネット状物９の両側縁部分５７，５７（合計６箇所）が、例えば図７（Ａ）に示すように前記引掛け部３３に引っ掛けられていることに加えて該ネット状物９の中間部分５９も該支柱連結杆１１に取り付けられているため、該ネット状物９の全体が支柱枠体６の前面７ａに安定的に取り付けられた状態となっている。
【００３０】
図１、図９は、かかる構成の蔓性植物支持装置１を例えばベランダに設置した状態を示すものであり、建物２の窓３の多くの部分を外側から覆うように該建物の外壁５に所要の傾斜角度で立て掛けた状態となされ、その支柱枠体６の下部（伸縮支柱１０の下端）６０がコンクリート面６１に載り且つその上部６２が外壁５に当接した（単純に当接した状態であり、固定具で固定されてはいない）傾斜状態にある。そして、該支柱枠体６の下部の前側（窓３と反対側）に、該支柱枠体６の幅方向に沿わせてプランター６３が設置され、該支柱枠体６の下部６０が該プランター６３の後部側面（窓側の側面）６５に当接されて、蔓性植物支持装置１の立て掛け状態の安定性向上が図られている。
【００３１】
然して、該プランター６３で例えばキュウリやゴーヤを栽培すると、キュウリは、蔓がネット状物９に巻き付きながら成長でき、そのうちに該ネット状物９に繁茂状態となり得る。このような繁茂状態になると、窓３の外側を効果的に緑化でき、日差しを遮る遮光作用と植物の蒸散作用とによって室温の上昇を抑制できることとなる。これに付随して、実を収穫したり、花を楽しむこともできる。
【００３２】
このようにキュウリやゴーヤを栽培した場合、その収穫を楽に行なうために、必要に応じ、前記固定装置１７の固定状態を解除して前記伸縮支柱１０を適宜縮小させることもできる。
【００３３】
かかる蔓性植物支持装置１は、その使用時期が終わった後は分解され、収納される。この分解の際、前記バンド部材４９を取り外すことによって支柱連結杆１１と伸縮支柱１０とを分離する。その後、該支柱連結杆１１をネット状物９のネット目５５から引き抜いて取り外す。該ネット状物９には蔓性植物が複雑に巻き付いた状態にあるため、取り外されたネット状物９は、通常の場合、廃棄される。
【００３４】
なお本実施例においては、前記のように、前記伸縮支柱１０の外面１２，１５及び前記支柱連結杆１１の外面３１が平滑面に形成されているため、これらに蔓が巻き付きにくい。従って、蔓性植物支持装置１を分解した際に、伸縮支柱１０や支柱連結杆１１から蔓を取り外さなければならないといった面倒さがない。
【実施例２】
【００３５】
本考案は、前記実施例で示したものに限定されるものでは決してなく、「実用新案登録請求の範囲」の記載内で種々の設計変更が可能であることはいうまでもない。その一例を挙げれば次のようである。
【００３６】
(1) 前記支柱枠体６を構成する伸縮支柱１０の最大長さは、建物の窓の高さに合わせて所要に設定されるものであり、３〜５ｍに設定されることもある。通常の窓に対しては、３ｍまでである。
【００３７】
(2) 前記支柱枠体６を構成する伸縮支柱１０の本数は、建物の窓３の横幅を考慮して設定されるものであり、図１０に示す蔓性植物支持装置１にあっては、３本の伸縮支柱１０，１０，１０を用いて構成された支柱枠体６が示されている。この場合における支柱連結杆１１の長さは約１８０ｃｍに設定されており、両側に位置する伸縮支柱１０ａ，１０ｂは、該支柱連結杆１１の両端側に位置する。
該３本の伸縮支柱１０，１０，１０は、横方向に延長する前記支柱連結杆１１によって、前記と同様構成のバンド部材４９を用いて連結されている。そして、かかる構成を有する支柱枠体６の前面（窓３と反対側の面）７ａが、横幅が約１８０ｃｍに設定されてなる前記と同様構成のネット状物９で覆われる。
なお、建物の窓の横幅によっては、伸縮支柱１０を４本以上使用することもある。伸縮支柱１０を連結する支柱連結杆１１は、所要長さの１本ものとして形成されることがある他、単位長さの連結杆を複数本連結して所要長さの支柱連結杆を形成することもある。
又、図１０に示すように、３本の伸縮支柱１０，１０，１０と、約１８０ｃｍ長さの支柱連結杆１１とを用いて支柱枠体６を構成する場合、栽培する蔓性植物が実のなる植物である場合は、その実の重量で伸縮支柱１０が縮小する恐れを回避する等の目的で、伸縮支柱１０を４本用いることもある。
このように、両側に位置する伸縮支柱間の間隔を大きくする場合は、複数個のプランターを直列状態に連ねて設置すればよい。
【００３８】
(3) 前記ネット状物９は、支柱枠体６の表面を覆うように取り付けられることによって蔓性植物（キュウリやゴーヤ、朝顔、いんげん等）の蔓を巻き付かせつつ這わせることができるものであればよく、前記した正方形状のネット目を有するものの他、菱形等のネット目を有するものであってもよい。又、蔓性植物の種類によっては、孔明きのシート等の、ネット状を呈するものでもよい。
【００３９】
(4) 前記支柱枠体６を構成するに際し、前記支柱連結杆１１は伸縮支柱１０の後側（窓側）に配置してよい。
【００４０】
(5) 伸縮支柱１０と支柱連結杆１１とを連結する手段は、前記したようなバンド部材４９を用いて行なうのが好ましいが、両者の交叉部分を紐等で結着することによってもよい。
【００４１】
(6) 前記支柱枠体６の表面（前面又は後面）を覆うように取り付けられたネット状物９を該支柱枠体６に固定する手段は、該ネット状物９を支柱枠体６に安定的に取り付けることができる限り、該ネット状物９の両側縁部分５７，５７のみを前記支柱連結杆１１等に設けられた引掛け部３３に引っ掛けて行うだけでもよい。
該引掛け部３３は、該側縁部分５７を引っ掛けて固定できるものである限り、前記したフック状の引掛け部を有するものの他、各種に構成され得る。ネット状物９の側縁部分５７を、断面Ｕ字状のパッカ−を用いて伸縮支柱１０に固定するものであってもよい。
【００４２】
(7) 横方向に所要間隔を置いて立設された伸縮支柱１０，１０を連結する支柱連結杆１１としては、例えば図１１に示すような、上端６７が開放する挿入筒部６９，６９を水平連結杆７０の両端で上方向に屈曲形成してなるコ字状の支柱連結杆１１ａを用いることもできる。伸縮支柱１０，１０の下端部分７１，７１を該挿入筒部６９，６９に挿入することにより、伸縮支柱１０，１０相互を連結できる。このように構成する場合は、伸縮支柱１０の下端ではなく該水平連結杆７０が接地する。このように構成する場合、図１１に示すように、かかるコ字状の支柱連結杆１１ａを用いて伸縮支柱１０，１０の上端相互を連結することとしてもよい。なお、このように構成する場合、使用する伸縮支柱１０の本数は３本以上であってもよい。
【００４３】
(8) 蔓性植物支持装置１を、建物の窓３を外側から覆うように設置する態様としては、図１２に示すように、例えば建物の軒部等において、支柱枠体６の上端７２を軒部７３の下面７５に当接させて垂直状態で立設する態様もある。
【００４４】
(9) 図１、図９においては、建物の窓を外側から覆うように設置された蔓性植物支持装置１の前側にプランター６３を設置した態様が示されているが、該プランター６３は、その後側（窓側）に設置してもよい。
或いは、プランターを用いずに、地面に植えた蔓性植物をネット状物９に這わせるようにしてもよい。この場合、支柱枠体６の下部を地面に埋設してもよい。
【００４５】
(10)図１３は、支柱枠体６の他の態様を示すものであり、伸縮支柱１０はその上部に、建物の外壁５に向けて湾曲状態や直線状態で突出する突出片７６，７６を有している。このように構成する場合は、支柱枠体６は、該突出片７６，７６の先端７７，７７が建物の外壁５に当接した立設状態となる。
このように構成する場合は、支柱枠体６と外壁５との間に空間７９が形成されることから、実のなる蔓性植物を栽培した場合に、キュウリやゴーヤ等の収穫を楽に行い得る利点がある。
又、該支柱枠体６は、建物の壁面に略密接した状態で垂直状態で立設されることもある。
【００４６】
(11)支柱長さを固定する固定装置１７は、前記小径支柱パイプ１６の所要のスライドによって設定された支柱長さを固定できる限り、前記実施例で示したものには特定されず各種に構成され得る。
【００４７】
(12)図１４は、前記伸縮支柱１０や前記支柱連結杆１１を構成する管体の他の断面形状を示すものである。
【符号の説明】
【００４８】
１  蔓性植物支持装置
２  建物
３  窓
５  外壁
６  支柱枠体
７  支柱枠体の表面
９  ネット状物
１０  伸縮支柱
１１  支柱連結杆
１２  外面
１３  大径支柱パイプ
１５  外面
１６  小径支柱パイプ
１７  固定装置
３１  外面
３３  引掛け部
３５  引掛け部材
４９  バンド部材
７６  突出片
【図１】
0003149857.tif 000003
【図２】
0003149857.tif 000004
【図３】
0003149857.tif 000005
【図４】
0003149857.tif 000006
【図５】
0003149857.tif 000007
【図６】
0003149857.tif 000008
【図７】
0003149857.tif 000009
【図８】
0003149857.tif 000010
【図９】
0003149857.tif 000011
【図１０】
0003149857.tif 000012
【図１１】
0003149857.tif 000013
【図１２】
0003149857.tif 000014
【図１３】
0003149857.tif 000015
【図１４】
0003149857.tif 000016